(57)【要約】【課題】  使用者が不快感を抱くことを抑制することができる食器洗浄機を提供する。【解決手段】  食器洗浄機１０は、洗浄機本体１２と、洗浄機本体１２に収容されている位置Ｃと収容されていない位置Ａの間で移動可能な洗浄槽２０と、洗浄槽２０が位置Ｃに存在している状態で所定の操作が行なわれると、食器洗浄工程を開始する制御基板３８と、洗浄槽２０を位置Ｃに自動的に移動させる移動機構１６とを備えている。この食器洗浄機１０の制御基板３８では、移動機構１６が動作して洗浄槽２０が位置Ｃに自動的に移動している間に所定の操作が行われると、洗浄槽２０が位置Ｃに到達した後に食器洗浄工程を開始する。【選択図】図１
2010274045.tif 000002
【特許請求の範囲】
【請求項１】
洗浄機本体と、
洗浄機本体に収容されている第一位置と収容されていない第二位置の間で移動可能な洗浄槽と、
洗浄槽が第一位置に存在している状態で所定の操作が行なわれると、食器洗浄工程を開始する制御手段と、
洗浄槽を第一位置に自動的に移動させる移動手段と、
を備え、
制御手段は、移動手段が動作して洗浄槽が第一位置に自動的に移動している間に前記所定の操作が行われると、洗浄槽が第一位置に到達した後に食器洗浄工程を開始する
ことを特徴とする食器洗浄機。
【請求項２】
制御手段は、洗浄槽が第一位置に到達したときに、排水工程を開始し、排水工程の終了後に食器洗浄工程を開始することを特徴とする請求項１に記載の食器洗浄機。
【請求項３】
移動手段が動作開始してから所定時間が経過し、かつ、洗浄槽が第一位置に到達していないときに、報知する報知手段をさらに備えていることを特徴とする請求項または２に記載の食器洗浄機。
【発明の詳細な説明】
【技術分野】
【０００１】
本発明は、食器洗浄機に関する。
【背景技術】
【０００２】
特許文献１には、洗浄機本体と、洗浄機本体内の収容位置に収容可能な洗浄槽とを備えた食器洗浄機が開示されている。この食器洗浄機は、洗浄槽を収容位置まで自動的に移動させる移動手段を備える。この技術によれば、使用者による洗浄槽の押込み力が弱く、使用者の押込み力だけでは洗浄槽が収容位置まで到達しない場合でも、洗浄槽を収容位置まで到達させることができる。
【先行技術文献】
【特許文献】
【０００３】
【特許文献１】特開２００４−１６３６１号公報
【発明の概要】
【発明が解決しようとする課題】
【０００４】
食器洗浄機は、通常、食器洗浄工程を開始させるために使用者が操作するスタートスイッチを備えている。食器洗浄機では、水漏れを防止するために、洗浄槽が収容位置に存在しないときには食器洗浄工程が開始されない。従って、洗浄槽が収容位置に存在しない状態で使用者がスタートスイッチを操作しても、その操作が無効化される。
【０００５】
本発明者らの研究によって、特許文献１のように移動手段を備える食器洗浄機が実際に使用される際には、移動手段の動作中に使用者がスタートスイッチを操作することが少なくないことが判明した。特許文献１には明記されていないが、移動手段が動作中であって洗浄槽が収容される前の状態でスタートスイッチが操作された場合には、その操作が無効化されることが予想される。この場合、使用者は、食器洗浄工程が開始されると思い込んでいるが、実際には食器洗浄工程が開始されない。使用者は、食器洗浄機を離れて他の作業を行ない、その後に洗浄後の食器を使用しようとして洗浄槽内を見た時に、食器が洗浄されてないことに気づくことになる。使用者は、食器を使用することができず、不快感を抱くことになる。
【０００６】
本発明は、上述した実情に鑑みて創作されたものであり、使用者が不快感を抱くことを抑制することができる食器洗浄機を提供する。
【課題を解決するための手段】
【０００７】
本発明は、食器洗浄機に関する。この食器洗浄機は、洗浄機本体と洗浄槽と制御手段と移動手段を備えている。洗浄槽は、洗浄機本体に収容されている第一位置と収容されていない第二位置の間で移動可能に設けられている。制御手段は、洗浄槽が第一位置に存在している状態で所定の操作が行なわれると、食器洗浄工程を開始する。移動手段は、洗浄槽を第一位置に自動的に移動させる。この食器洗浄機では、制御手段は、移動手段が動作して洗浄槽が第一位置に自動的に移動している間に上記の所定の操作が行われると、洗浄槽が第一位置に到達した後に食器洗浄工程を開始する。
この食器洗浄機は、洗浄槽が第一位置に存在している状態で使用者によって所定の操作が行なわれると食器洗浄工程を開始する。しかも、洗浄槽が第一位置に自動的に移動している間に上記の所定の操作と同じ操作が行なわれても、食器洗浄工程を開始する。このため、食器洗浄工程が開始されると使用者が思い込んでいるが、実際には食器洗浄工程が開始されないという事象が発生するのを抑制することができる。使用者が不快感を抱くことを抑制することができる。
【０００８】
上記した制御手段は、洗浄槽が第一位置に到達したときに、排水工程を開始し、排水工程の終了後に食器洗浄工程を開始することが好ましい。
前回運転時に、使用者が、運転途中に終了させてしまった場合は、洗浄槽の中に水が溜まっていて残っていることがある。本発明では、食器洗浄工程に先立って洗浄槽内の残水を除去する排水工程を実施する。しかも、食器洗浄機に搭載されるポンプは、洗浄と排水を兼用するポンプが主流であり、排水工程時にも洗浄槽内の残水が洗浄ノズルより噴出してしまうことがある。本発明では、この排水工程を洗浄槽が第一位置に到達したときに開始する。これにより、排水工程中に洗浄槽内の残水が洗浄槽から漏れ出てしまうことを防止することができる。
【０００９】
上記した何れかの食器洗浄機では、移動手段が動作開始してから所定時間が経過し、かつ、洗浄槽が第一位置に到達していないときに、報知する報知手段をさらに備えていてもよい。
使用者は、報知手段の報知動作により洗浄槽が洗浄機本体に収容されていないことを知ることができる。そのため、使用者は、食器洗浄機が食器洗浄工程を開始していないことを知ることができる。使用者は、洗浄槽を第一位置に移動させ、食器洗浄工程を開始させることができる。使用者が上記の所定の操作を行なっても食器洗浄機が食器洗浄工程を開始しない状況が放置されることを抑制することができる。
【発明の効果】
【００１０】
本発明により提供される食器洗浄機によれば、使用者が不快感を抱くことを抑制することができる。
【図面の簡単な説明】
【００１１】
【図１】食器洗浄機１０の断面図。
【図２】食器洗浄機１０の断面図。
【図３】近接センサ１８を説明するための図。
【図４】移動機構１６を説明するための図。
【図５】移動機構１６を説明するための図。
【図６】移動機構１６を説明するための図。
【図７】開閉センサ３４を説明するための図。
【図８】開閉センサ３４を説明するための図。
【図９】食器洗浄機１０の制御に関するブロック図。
【図１０】制御基板３８が実行する処理のフローチャート。
【発明を実施するための形態】
【００１２】
下記に詳細に説明する実施例の主要な特徴を整理する。
（特徴１）食器洗浄機は、洗浄槽が第一位置に近接した近接位置に達したことを検知する近接センサを備えていてもよい。移動手段は、洗浄槽が第一位置に近接した近接位置に達したことが近接センサによって検知された場合に、洗浄槽を第一位置に自動的に移動させてもよい。
（特徴２）食器洗浄機は、洗浄槽が第一位置に収容されたことを検知する開閉センサを備えていてもよい。制御手段は、移動手段が動作して洗浄槽が第一位置に自動的に移動している間に上記の所定の操作が行われ、かつ、洗浄槽が第一位置に収容されたことが開閉センサによって検知された場合に、食器洗浄工程を開始してもよい。
【実施例１】
【００１３】
本発明の実施例に係る食器洗浄機について、図面を参照しながら説明する。図１、図２は、実施例１の食器洗浄機１０を模式的に示す。食器洗浄機１０は、引き出し式の食器洗浄機であって、前面（図１の左側の面）が開口する箱状の洗浄機本体１２と、この洗浄機本体１２の収納空間に収納可能であって上部が開口されている洗浄槽２０を備えている。図１は、洗浄槽２０が洗浄機本体１２に収容されていない状態の食器洗浄機１０を示しており、図２は、洗浄槽２０が洗浄機本体１２に収容されている状態の食器洗浄機１０を示している。
【００１４】
洗浄機本体１２の構造を説明する。洗浄機本体１２は、スライド機構１４を備えている。洗浄槽２０がスライド機構１４に沿って移動することで、洗浄槽２０が洗浄機本体１２に収容されている収容位置（第一位置の一例に相当し、以後は位置Ｃと呼ぶ）と収容されていない非収容位置（第二位置の一例に相当する）の間で移動する。洗浄機本体１２は、近接センサ１８を備えている。近接センサ１８は、洗浄槽２０の後端（図１の右端）が位置Ｃに近接した近接位置である位置Ａより左側に存在する状態ではオフ信号を出力し、洗浄槽２０の後端が位置Ａより右側に存在する状態ではオン信号を出力する。近接センサ１８の出力信号は、後述する制御基板３８に入力される。さらに、洗浄機本体１２は、移動機構１６を備えている。移動機構１６は、スライド機構１４に沿って洗浄槽２０を位置Ａから位置Ｃへ自動的に移動させる。また、洗浄機本体１２は、本体蓋１９を備えている。図２に示すように、本体蓋１９は、洗浄槽２０が位置Ｃに到達したときに、下方に移動することによって洗浄槽２０の開口を塞ぐ。本体蓋１９の上下動は、移動機構１６によって実現される。
【００１５】
次に、洗浄槽２０の構造を説明する。洗浄槽２０の下部及び内部には、食器洗浄工程において使用されるポンプ２２、洗浄ノズル２４、ヒータ２６、フィルタ２８などの機器が配置されている。ポンプ２２、洗浄ノズル２４、ヒータ２６などの機器は、制御基板３８によって制御される。さらに、洗浄槽２０の内部には、食器類を載置するための洗浄カゴ３０が取り出し可能に設けられている。
【００１６】
洗浄槽２０の前方（図１の左側）には、入力部３２と開閉センサ３４と報知器３６と制御基板３８が設けられている。入力部３２は、使用者が食器洗浄機１０の電源オン／オフを切換える時に操作する電源スイッチ３２ａと、使用者が食器洗浄工程をスタートさせる際に操作するスタートスイッチ３２ｂとを含む。スイッチ３２ａ，３２ｂが操作されると、スイッチ３２ａ，３２ｂから制御基板３８に信号が入力される。開閉センサ３４は、洗浄槽２０の後端が位置Ｃに存在するか否かを検出するセンサである。開閉センサ３４は、洗浄槽２０の後端が位置Ａより左側に存在する状態ではオフ信号を出力し、洗浄槽２０の後端が位置Ａと位置Ｃとの間に存在する状態ではオン信号を出力し、洗浄槽２０の後端が位置Ｃに存在する状態ではオフ信号を出力する。開閉センサ３４の出力信号は、制御基板３８に入力される。制御基板３８は、入力部３２と近接センサ１８と開閉センサ３４と報知器３６と移動機構１６に接続されている。制御基板３８は、入力部３２と近接センサ１８と開閉センサ３４から入力される信号に基づいて、報知器３６と移動機構１６を制御する。また、制御基板３８は、ポンプ２２と洗浄ノズル２４とヒータ２６とに接続されており、これらの機器の動作を制御する。
【００１７】
次に、近接センサ１８について図３を参照して説明する。近接センサ１８は、洗浄機本体１２に取り付けられたセンサ本体４０と、洗浄槽２０に固定されたピン４２とによって構成される。センサ本体４０には、スリット状のピン係合溝４０ａが設けられている。センサ本体４０は、洗浄槽２０の後端が位置Ａよりも前方に位置しており、ピン４２がピン係合溝４０ａから離れている状態では、オフ信号を出力する。一方、センサ本体４０は、洗浄槽２０の後端が位置Ａよりも後方に押し込まれ、ピン４２がピン係合溝４０ａに入り込んだ状態では、オン信号を出力する。
【００１８】
次に、移動機構１６について図４〜６を参照して説明する。移動機構１６は、軸ピン４４と第一金具４６と第二金具４７とバネ４８と回転機構５０とピン５２とを備えている。軸ピン４４は、洗浄機本体１２の後方内側面に固定されている。ピン５２は、洗浄槽２０の後方外側面に固定されている。第一金具４６は、軸ピン４４に回動自在に取り付けられている。第一金具４６には、ピン係合溝４６ａとバネ接続部４６ｂと押圧部４６ｃが形成されている。ピン係合溝４６ａは、スリット状に形成されている。バネ接続部４６ｂには、バネ４８の一端が接続される。押圧部４６ｃは、第二金具４７のピン４７ｂを押圧する。第二金具４７は、軸ピン４４に回動自在に取り付けられている。第二金具４７には、穴部４７ａとピン４７ｂが形成されている。穴部４７ａには、図示省略の他の金具が接続されている。この他の金具は、本体蓋１９に接続されている。
【００１９】
回転機構５０は、モータ５４とモータ固定板６０と回転板５６と位置センサ５８とを備えている。モータ５４は、ギャードモータである。モータ固定板６０は、洗浄機本体１２に固定されている。モータ５４は、モータ固定板６０に固定されている。円形の回転板５６の中心位置には、モータ５４の駆動軸５４ａに連結されている。回転板５６の中心位置から離れた位置には、バネ４８の他端部が接続されるバネ接続部５６ａが形成されている。位置センサ５８は、バネ４８の伸張又は収縮をしたことを検出する。位置センサ５８は、バネ４８が所定長さより長い場合にオン信号を出力し、また上記の所定長さより短い場合にオフ信号を出力する。位置センサ５８の出力信号は、制御基板３８に入力される。
【００２０】
移動機構１６のモータ５４は、制御基板３８によって制御され、洗浄槽２０の移動に応じて以下のように動作する。
洗浄槽２０の後端が、位置Ａよりも左側に設定されている位置Ｂよりも左側に存在している状態では、第一金具４６はバネ４８によって反時計方向に付勢され、ストッパ（図示されていない）によって停止している。この場合、バネ４８は上記の所定長さより短い状態であり、位置センサ５８及び近接センサ１８はオフ状態にある。また、本体蓋１９は第二金具４７により持ち上げられ、洗浄槽２０の上面よりも上方に保持されている。
【００２１】
図４に示すように、洗浄槽２０の後端が位置Ｂに到達すると、洗浄槽２０に固定されたピン５２がピン係合溝４６ａに入り込む。洗浄槽２０の後端が位置Ｂよりも右側に押し込まれ、洗浄槽２０の後端が位置Ｂと位置Ａの間に存在する状態となると、ピン５２がバネ４８による反時計方向の回動付勢力に抗して第一金具４６を時計方向に回動させる。
【００２２】
図５に示すように、洗浄槽２０の後端が位置Ａに到達すると、近接センサ１８がオンしモータ５４が時計方向に回転する。これに伴って回転板５６が時計方向に回転し、図６に示すように、バネ４８が伸張される。位置センサ５８は、バネ４８の伸張を監視し、バネ４８が上記の所定長さより長くなると出力をオンに切換える。位置センサ５８からの出力がオンに切換えられると、制御基板３８は、モータ５４を停止する。このとき、第一金具４６には、伸張されたバネ４８による時計方向の回動付勢力が加えられ、第一金具４６が時計方向に回転する。第一金具４６のピン係合溝４６ａには、洗浄槽２０に固定されているピン５２が係合している。従って、第一金具４６が時計方向に回転すると、洗浄槽２０が後方に移動する。洗浄槽２０が収納位置へと引き込まれる。つまり、移動機構１６によって、洗浄槽２０が位置Ａから位置Ｃへと自動的に移動する。
【００２３】
洗浄槽２０が位置Ｃに到達すると、開閉センサ３４がオフに切換わる。この結果、制御基板３８はモータ５４を時計方向に回転させる。これに伴って回転板５６が時計方向に回転し、バネ４８が収縮する。位置センサ５８は、バネ４８が上記の所定長さより短くなると出力をオフに切換える。位置センサ５８からの出力がオフに切換えられると、制御基板３８は、モータ５４を停止する。この結果、回転板５６のバネ接続部５６ａが図４に示される位置に戻る。これにより、移動機構１６は、洗浄槽２０の自動移動を完了する。
【００２４】
本実施例の食器洗浄機１０では、移動機構１６によって洗浄槽２０を位置Ａから位置Ｃまで自動的に移動させることができる。洗浄槽２０内に食器類が収容されて重くなった場合でも、洗浄槽２０を第一位置まで確実に移動することができ、食器洗浄機１０の操作性が良好となる。
【００２５】
また食器洗浄機１０では、図５に示すように、洗浄槽２０が位置Ａに到達すると、第一金具４６の押圧部４６ｃが第二金具４７のピン４７ｂを押圧する。そして、第一金具４６が時計方向に回転するのに連動して、第二金具４７が時計方向に回転する。これによって、図６に示すように、穴部４７ａが下方に移動し、本体蓋１９が下方へと移動する。この結果、本体蓋１９が位置Ｃに収容された洗浄槽２０の開口を塞ぐ。移動機構１６は、本体蓋１９を洗浄槽２０の開口に自動的に移動させる移動機構でもある。
【００２６】
次に、開閉センサ３４について図７、図８を参照して説明する。図７、図８は洗浄槽２０の内側から図１の矢印Ｄ方向に洗浄機本体１２と洗浄槽２０を見た場合の開閉センサ３４を示す。開閉センサ３４は、第四金具６２とバネ６４と位置センサ６６とを備えている。第四金具６２は、洗浄槽２０に対して上下にスライド可能に取り付けられている。第四金具６２には、スリット溝６２ａとバネ接続部６２ｂが形成されている。スリット溝６２ａはスリット状に形成されており、バネ６４を収容可能である。バネ接続部６２ｂには、スリット溝６２ａに収容されたバネ６４の一端が接続される。バネ６４の他端は、洗浄槽２０に接続されている。位置センサ６６は、センサ本体６６ａと、センサ本体６６ａに揺動可能に接続されている揺動部材６６ｂとを備えている。図７に示される状態では、センサ本体６６ａは、オフ信号を出力する。図７に示される状態から第四金具６２が下方に移動すると、図８に示されるように、第四金具６２が揺動部材６６ｂを右方向に揺動させる。この状態では、センサ本体６６ａは、オン信号を出力する。
【００２７】
洗浄機本体１２には第三金具６１が固定されている。洗浄槽２０の後端が、位置Ａと位置Ｃの間に存在する状態では、第三金具６１と第四金具６２が接触するように設定される。第三金具６１と第四金具６２が接触すると、第三金具６１が第四金具６２を下方に押す。この結果、図８に示される状態になり、位置センサ６６がオンとなる。この状態から他の状態、つまり洗浄槽２０の後端が位置Ａよりも左側に存在する状態、および洗浄槽２０の後端が位置Ｃに存在する状態に移行すると、第三金具６１と第四金具６２が接触せず、第三金具６１は、バネ６４の付勢力によって上方に移動する。この結果、図７に示される状態になり、位置センサ６６がオンとなる。第三金具６１と第四金具６２が上記のように配置されることによって、洗浄槽２０の後端が位置Ａより左側に存在する状態ではオフ信号を出力し、洗浄槽２０の後端が位置Ａと位置Ｃとの間に存在する状態ではオン信号を出力し、洗浄槽２０の後端が位置Ｃに存在する状態ではオフ信号を出力する開閉センサ３４が実現される。
【００２８】
次に、食器洗浄機１０の制御について説明する。図９に、食器洗浄機１０の制御に関するブロック図を示す。
制御基板３８は、ＣＰＵ、ＲＡＭ、ＲＯＭ、タイマを備えており、電源回路６８を介して電源に接続されている。
【００２９】
図１０は、制御基板３８が実行する処理のフローチャートである。以下、図１０を用いて、食器洗浄機１０の食器洗浄工程を開始するときの動作について説明する。
使用者の操作によって入力部３２の電源スイッチ３２ａがオンされると、食器洗浄機１０の運転が開始される（Ｓ０）。この状態で、使用者の操作によって入力部３２のスタートスイッチ３２ｂがオンされると（Ｓ２でＹＥＳ）、制御基板３８は開閉センサ３４と近接センサ１８の状態を監視すると同時に、タイマを用いてスタートスイッチ３２ｂがオンしてからの経過時間を計測する。開閉センサ３４がオフ（Ｓ４でＮＯ）し、近接センサ１８がオン（Ｓ１２でＹＥＳ）している場合、洗浄槽２０が位置Ｃに収容されている。この場合、制御基板３８はステップＳ２で使用者から入力された操作に基づいて食器洗浄工程を開始する（Ｓ１４）。
【００３０】
本実施例の食器洗浄機１０では、食器洗浄工程において以下の工程を順に実施する。
（排水工程）
ポンプ２２を作動して、食器洗浄機１０内に残っている水を食器洗浄機１０の外部へと排出する。ポンプ２２を所定時間動作させた後にポンプ２２を停止する。
（洗浄工程）
洗浄槽２０内に給水後、ポンプ２２と洗浄ノズル２４とヒータ２６を作動させる。ポンプ２２は、洗浄ノズル２４に洗浄水を供給し、洗浄ノズル２４は、洗浄水を食器類に噴射する。洗浄ノズル２４は、伸縮可能な中央ノズルと中央ノズルの周りに回転可能な回転ノズルを有しており、中央ノズル及び回転ノズルに設けられた穴部から洗浄水を噴射する。洗浄ノズル２４から噴射された洗浄水は、フィルタ２８によってろ過され、ポンプ２２へ戻る。ヒータ２６は、洗浄槽２０内を設定温度に維持している。この工程では、洗浄水を交換し、洗浄、すすぎ工程を実行する。すすぎ工程終了後、ポンプ２２と洗浄ノズル２４とヒータ２６を停止する。
（乾燥工程）
乾燥ファン（図示されていない）とヒータ２６を動作させ、洗浄槽２０内を乾燥させ、食器類を乾燥させる。乾燥工程終了後、制御基板３８は乾燥ファンとヒータ２６を停止し、その後に食器洗浄機１０の電源をオフする。
【００３１】
その一方、開閉センサ３４がオフ（Ｓ４でＮＯ）し、近接センサ１８がオフ（Ｓ１２でＮＯ）している場合、洗浄槽２０の後端は、位置Ａよりも左側に存在している。この場合、洗浄槽２０は、位置Ｃに収容されておらず、また移動機構１６が動作していない。この場合には、制御基板３８は報知器３６を駆動する（Ｓ１０）。報知器３６は、表示及び音によって報知する。これによって、使用者がスタートスイッチ３２ｂに操作を入力したけれども、食器洗浄機１０が食器洗浄工程を開始しない状況が放置されることを抑制することができる。
【００３２】
同様に、開閉センサ３４がオン（Ｓ４でＹＥＳ）し、近接センサ１８がオフ（Ｓ６でＮＯ）している場合にも、洗浄槽２０の後端が位置Ａよりも左側に存在している。この場合にも、制御基板３８は報知器３６を駆動し（Ｓ１０）、食器洗浄機１０において食器洗浄工程が実施されていない状況が放置されることを抑制することができる。
【００３３】
また、開閉センサ３４がオン（Ｓ４でＹＥＳ）し、近接センサ１８がオン（Ｓ６でＹＥＳ）している場合、洗浄槽２０が移動機構１６により位置Ｃに自動移動中である。この場合、制御基板３８は、スタートスイッチ３２ｂがオンしてからの経過時間と開閉センサ３４の出力を監視し、経過時間が制御基板３８に記憶されている所定時間に達する前に開閉センサ３４がオフに切換わった場合（Ｓ８でＹＥＳ）には、食器洗浄工程を開始する（Ｓ１４）。
本実施例では、洗浄槽２０が自動移動中に使用者から入力された操作によって、食器洗浄工程を開始することができる。そのため、使用者がスタートスイッチ３２ｂに操作を入力したけれども、食器洗浄機１０が食器洗浄工程を開始しない状況が発生することを抑制することができる。
【００３４】
一方、経過時間が所定時間に達する前に開閉センサ３４がオフに切換わらなかった場合（Ｓ８でＮＯ）には、報知器３６を駆動する（Ｓ１０）。制御基板３８には、移動機構１６によって洗浄槽２０が位置Ａから第一位置へと移動するのに必要な時間が上記の所定時間として記憶されている。そのため、スタートスイッチ３２ｂに操作が入力されてから所定時間内に開閉センサ３４がオンしない場合には、洗浄槽２０と洗浄機本体１２の間に食器類が挟まる等の異常事態が発生したことが考えられる。
本実施例では、このような異常事態の発生時にも、制御基板３８は報知器３６を駆動することで、使用者は異常事態の発生を認識することができる。これによって、上記のような異常事態の発生時にも、使用者がスタートスイッチ３２ｂに操作を入力したけれども、食器洗浄機１０が食器洗浄工程を開始しない状況が放置されることを抑制することができる。
【００３５】
以上に説明したように、本実施例の食器洗浄機１０では、使用者がスタートスイッチ３２ｂに操作を入力したけれども、食器洗浄機１０が食器洗浄工程を開始しない状況が発生することを抑制することができ、また、食器洗浄機１０が食器洗浄工程を開始しない状況が放置されることを抑制することができる。これによって、食器洗浄機１０を使用する際に使用者が不快感を抱くことを抑制することができる。
【００３６】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
【００３７】
上記の実施例では、洗浄槽２０を収容位置に自動的に移動する移動機構１６を備えた食器洗浄機を用いて説明を行った。しかし、本実施例の制御基板３８が実行する処理は、移動機構１６を備えない食器洗浄機１０に応用されてもよい。
この食器洗浄機は、スタートスイッチと開閉センサを備えている。開閉センサは、洗浄槽が収容位置に存在する場合にオンし、洗浄槽が収容位置に存在しない場合にオフする信号を制御基板に出力する。この食器洗浄機では、開閉センサがオフしているときにスタートスイッチがオンすると、制御基板は開閉センサの出力を監視し、開閉センサがオンに切換わった場合に食器洗浄工程を実行する。これによって、移動機構を備えない食器洗浄機においても、食器洗浄機を使用する際に使用者が不快感を抱くことを抑制することができる。また、この食器洗浄機では、上記の機能に加えて、スタートスイッチがオンしてからの経過時間が所定時間に達する前に開閉センサがオンに切換わらなかった場合に、報知器を駆動する機能を併用してもよい。
【００３８】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３９】
１０   食器洗浄機
１２   洗浄機本体
１４   スライド機構
１６   移動機構
１８   近接センサ
１９   本体蓋
２０   洗浄槽
２２   ポンプ
２４   洗浄ノズル
２６   ヒータ
２８   フィルタ
３０   洗浄カゴ
３２   入力部
３２ａ 電源スイッチ
３２ｂ スタートスイッチ
３４   開閉センサ
３６   報知器
３８   制御基板
４０   センサ本体
４６   第一金具
４７   第二金具
４８   バネ
５０   回転機構
５４   モータ
５６   回転板
５８   位置センサ
６１   第三金具
６２   第四金具
６４   バネ
６６   位置センサ
６８   電源回路
【図１】
2010274045.tif 000003
【図２】
2010274045.tif 000004
【図３】
2010274045.tif 000005
【図４】
2010274045.tif 000006
【図５】
2010274045.tif 000007
【図６】
2010274045.tif 000008
【図７】
2010274045.tif 000009
【図８】
2010274045.tif 000010
【図９】
2010274045.tif 000011
【図１０】
2010274045.tif 000012